(57)【要約】【課題】個人情報の不正流出や不正使用を防止し、安全性を確保する。【解決手段】ユーザが、指紋センサ２１に手指を当てると、制御部１８は、特徴情報生成処理を行い、今回読み取った指紋の特徴情報と、予め登録されたユーザ本人の特徴情報との間の類似度を比較して、本人認証を行う。制御部１８は、本人と認証した場合には、駆動コイル３８へ所定値の電流を供給させて、ロック板３７を駆動コイル３８へ引き寄せさせて溝部３４ａから引き抜いて、機構的ロックを解除すると共に、例えば、操作部２６の操作キー押下によるキー押下情報を受付け可能なように電子的ロックを解除し、キー入力待ち状態とする。【選択図】図１
2007156929.tif 000002
【特許請求の範囲】
【請求項１】
ヒンジ機構を介して第１の筐体と第２の筐体とが開閉自在に結合されていると共に、前記第１の筐体と前記２の筐体とが折り畳まれているとき、当該折り畳み状態を機械的にロックするロック機構を備えてなる折畳み式の電子機器であって、
前記第１の筐体と前記２の筐体とが折り畳まれ、かつ、前記ロック機構によって当該折り畳み状態が機械的にロックされると、当該機械的ロックに連動して、当該電子機器の所定の電子的機能を閉塞させてロックする機能ロック手段と、前記ロック機構及び前記機能ロック手段によるロック状態を共に解除するロック解除手段とを備えてなることを特徴とする電子機器。
【請求項２】
前記ロック解除手段は、使用者の所定の生体特徴を読み取るための読取手段と、前記読取手段によって読み取られた前記生体特徴に基づいて、前記使用者の本人認証を行うための本人認証手段とを有してなることを特徴とする請求項１記載の電子機器。
【請求項３】
前記読取手段は、前記使用者の前記生体特徴としての指紋を読み取るための指紋センサを有してなることを特徴とする請求項２記載の電子機器。
【請求項４】
前記ロック機構は、前記第１の筐体に対する前記第２の筐体の回転変位を制止する制止手段を有してなることを特徴とする請求項１、２又は３記載の電子機器。
【請求項５】
前記ヒンジ機構は、前記第１の筐体に連接された筒状の第１の回動部と、前記第２の筐体に連接された筒状の第２の回動部と、前記第１の回動部及び前記第２の回動部に挿通された軸体とを有してなり、前記制止手段は、前記第１の筐体に取り着けられ、前記第２の回動部の回動を制止する制止部材を有してなることを特徴とする請求項４記載の電子機器。
【請求項６】
前記第２の回動部の所定の部位には、凹部が形成され、前記制止部材は、その先端部が前記凹部に挿入され、その後端部が前記制止部材を前記凹部ヘ向けて変位させる向きに付勢するばね部材を介して前記第１の筐体に取り着けられていると共に、前記制止部材の先端部が前記凹部に挿入されたロック状態で、前記ばね部材の復元力に抗して前記凹部から前記制止部材を引き抜いて、前記ロック機構によるロック状態を解除するための挿抜手段を有することを特徴とする請求項５記載の電子機器。
【請求項７】
前記凹部は溝部であり、前記制止部材は平板状の磁性体からなるロック板であり、前記挿抜手段は、前記ロック板の先端部が前記溝部に挿入されたロック状態で、電流が流れることによって前記ばね部材の復元力に抗して前記ロック板に引力を与え前記溝部から前記ロック板を引き抜いて、前記ロック機構によるロック状態を解除する駆動コイルを有してなることを特徴とする請求項６記載の電子機器。
【請求項８】
当該電子機器を構成し各種のキースイッチを有するキー入力手段を備え、前記機能ロック手段は、前記閉じた状態で少なくとも一部の前記キースイッチの操作を無効とすることを特徴とする請求項１乃至７のいずれか１に記載の電子機器。
【請求項９】
前記指紋センサは、前記第１の筐体又は前記第２の筐体の外表面に配置されていることを特徴とする請求項４乃至８のいずれか１に記載の電子機器。
【請求項１０】
前記機能ロック手段は、前記キー入力手段から前記キースイッチのオン／オフ情報を受け取って、操作無効とされるキースイッチが定められたキーマスク情報に基づいて、操作された前記キースイッチが操作無効とされるマスクキーであるか否かを判定し、操作された前記キースイッチが、前記マスクキーとされている場合に、前記キースイッチの操作を無効とする判定手段を有することを特徴とする請求項８又は９記載の電子機器。
【請求項１１】
電子機器を構成する第１の筐体と第２の筐体とを開閉自在に結合するためのヒンジ機構であって、
前記第１の筐体に連接された筒状の第１の回動部と、前記第２の筐体に連接された筒状の第２の回動部と、前記第１の回動部及び前記第２の回動部に挿通された軸体とを備えてなり、
当該電子機器に設けられたロック機構によって、前記第１の筐体と前記２の筐体とが折り畳まれているとき、当該折り畳み状態が機械的にロックされ、前記ロック機構は、前記第１の筐体に対する前記第２の筐体の回転変位を制止する制止手段を有し、前記制止手段は、前記第１の筐体に取り着けられ、前記第２の回動部の回動を制止する制止部材を有してなることを特徴とする電子機器におけるヒンジ機構。
【請求項１２】
当該電子機器に設けられたロック解除手段によって、前記ロック機構によるロック状態が解除されることを特徴とする請求項１１記載の電子機器におけるヒンジ機構。
【請求項１３】
前記第２の回動部の所定の部位には、凹部が形成され、前記制止部材は、その先端部が前記凹部に挿入され、その後端部が前記制止部材を前記凹部ヘ向けて変位させる向きに付勢するばね部材を介して前記第１の筐体に取り着けられていると共に、当該電子機器には、前記制止部材の先端部が前記凹部に挿入されたロック状態で、前記ばね部材の復元力に抗して前記凹部から前記制止部材を引き抜いて、前記ロック機構によるロック状態を解除するための挿抜手段が設けられていることを特徴とする請求項１１又は１２記載の電子機器におけるヒンジ機構。
【請求項１４】
前記凹部は溝部であり、前記制止部材は平板状の磁性体からなるロック板であり、前記挿抜手段は、前記ロック板の先端部が前記溝部に挿入されたロック状態で、電流が流れることによって前記ばね部材の復元力に抗して前記ロック板に引力を与え前記溝部から前記ロック板を引き抜いて、前記ロック機構によるロック状態を解除する駆動コイルを有してなることを特徴とする請求項１３記載の電子機器におけるヒンジ機構。
【請求項１５】
当該電子機器には、前記第１の筐体と前記２の筐体とが折り畳まれ、かつ、前記ロック機構によって当該折り畳み状態が機械的にロックされると、当該機械的ロックに連動して、当該電子機器の所定の電子的機能を閉塞させてロックする機能ロック手段が設けられ、前記ロック解除手段によって、前記ロック機構及び前記機能ロック手段によるロック状態が解除されることを特徴とする請求項１１乃至１４のいずれか１に記載の電子機器におけるヒンジ機構。
【請求項１６】
前記ロック解除手段は、使用者の所定の生体特徴を読み取るための読取手段と、前記読取手段によって読み取られた前記生体特徴に基づいて、前記使用者の本人認証を行うための本人認証手段とを有してなることを特徴とする請求項１２乃至１５のいずれか１に記載の電子機器におけるヒンジ機構。
【請求項１７】
前記読取手段は、前記使用者の前記生体特徴としての指紋を読み取るための指紋センサを有してなることを特徴とする請求項１６記載の電子機器におけるヒンジ機構。
【請求項１８】
ヒンジ機構を介して第１の筐体と第２の筐体とが開閉自在に結合され、前記第１の筐体と前記２の筐体とが折り畳まれているとき、当該折り畳み状態を機械的にロックする機械的ロックステップを含む折畳み式の電子機器におけるロック制御方法であって、
前記第１の筐体と前記２の筐体とが折り畳まれ、かつ、前記機械的ロックステップで当該折り畳み状態が機械的にロックされると、当該機械的ロックに連動して、当該電子機器の所定の電子的機能を閉塞させてロックする機能ロックステップと、前記機械的ロックステップ及び前記機能ロックステップでなされたロック状態を共に解除するロック解除ステップとを含むことを特徴とする電子機器におけるロック制御方法。
【請求項１９】
前記ロック解除ステップでは、読み取られた使用者の所定の生体特徴に基づいて、前記使用者の本人認証を行うための本人認証ステップとを含むことを特徴とする請求項１８記載の電子機器におけるロック制御方法。
【請求項２０】
前記読取ステップでは、前記使用者の前記生体特徴としての指紋を読み取るための指紋センサを用いることを特徴とする請求項１９記載の電子機器におけるロック制御方法。
【請求項２１】
前記機械的ロックステップでは、前記第１の筐体に対する前記第２の筐体の回転変位を制止する制止手段を用いることを特徴とする請求項１８、１９又は２０記載の電子機器におけるロック制御方法。
【請求項２２】
前記ヒンジ機構は、前記第１の筐体に連接された筒状の第１の回動部と、前記第２の筐体に連接された筒状の第２の回動部と、前記第１の回動部及び前記第２の回動部に挿通された軸体とを有してなり、前記制止手段は、前記第１の筐体に取り着けられ、前記第２の回動部の回動を制止する制止部材を有してなることを特徴とする請求項２１記載の電子機器におけるロック制御方法。
【請求項２３】
前記第２の回動部の所定の部位には、凹部が形成され、前記制止部材は、その先端部が前記凹部に挿入され、その後端部が前記制止部材を前記凹部ヘ向けて変位させる向きに付勢するばね部材を介して前記第１の筐体に取り着けられていると共に、
前記機械的ロックステップで、前記制止部材の先端部を前記凹部に挿入してロック状態とし、前記ロック解除ステップで、挿抜手段を用いて、前記ばね部材の復元力に抗して前記凹部から前記制止部材を引き抜いて、前記機械的ロックステップでなされたロック状態を解除することを特徴とする請求項２２記載の電子機器におけるロック制御方法。
【請求項２４】
前記凹部は溝部であり、前記制止部材は平板状の磁性体からなるロック板であり、前記挿抜手段は、前記ロック板の先端部が前記溝部に挿入されたロック状態で、電流が流れることによって前記ばね部材の復元力に抗して前記ロック板に引力を与え前記溝部から前記ロック板を引き抜いて、前記機械的ロックステップでなされたロック状態を解除する駆動コイルを有してなることを特徴とする請求項２３記載の電子機器におけるロック制御方法。
【請求項２５】
当該電子機器には、各種のキースイッチを有するキー入力手段が設けられ、前記機構ロックステップでは、前記閉じた状態で少なくとも一部の前記キースイッチの操作を無効とすることを特徴とする請求項１８乃至２４のいずれか１に記載の電子機器におけるロック制御方法。
【請求項２６】
前記指紋センサは、前記第１の筐体又は前記第２の筐体の外表面に配置されていることを特徴とする請求項２０乃至２５のいずれか１に記載の電子機器におけるロック制御方法。
【請求項２７】
前記機構ロックステップでは、前記キー入力手段から前記キースイッチのオン／オフ情報を受け取って、操作無効とされるキースイッチが定められたキーマスク情報に基づいて、操作された前記キースイッチが操作無効とされるマスクキーであるか否かを判定し、操作された前記キースイッチが、前記マスクキーとされている場合に、前記キースイッチの操作を無効とする判定ステップを含むことを特徴とする請求項２５又は２６記載の電子機器におけるロック制御方法。
【発明の詳細な説明】
【技術分野】
【０００１】
この発明は、電子機器、電子機器におけるヒンジ機構及びロック制御方法に係り、例えば、折畳式の携帯電話機を不正に操作できないようにロックし、指紋センサを用いてユーザ本人認証を行なってロック状態を解除する電子機器、電子機器におけるヒンジ機構及びロック制御方法に関する。
【背景技術】
【０００２】
近年、電子機器のメモリには、ユーザ等の氏名や住所、電話番号、メールアドレス等多量の個人情報が記憶され、不正流出や不正使用が大きな問題となっている。さらに、小型化によって様々な場所へ持ち運び自在となっており、セキュリティ上深刻な問題となっている。
このような小型化が図られている電子機器としては、携帯電話機のほか、簡易型携帯電話（ＰＨＳ）端末や、携帯情報端末（ＰＤＡ）、携帯型のコンピュータ、コードレス電話機、トランシーバ、ゲーム機、電卓、電子辞書等数多くの機器が挙げられる。
なかでも、移動中や外出先でも通信可能であるという高い利便性によって、携帯電話機等の携帯端末が広く普及してきているが、同時に、セキュリティ上の問題も深刻である。
【０００３】
従来より、暗証番号によって、本人確認を行う方法が用いられているが、この暗証番号自体も盗難に遭ったり、また、本人が自身の暗証番号を忘れてしまって、操作ができないという問題もあった。
このため、最近は、バイオメトリックス技術を利用して、例えば、指紋センサ等を用いて本人確認を行う方法が普及してきている（例えば、特許文献１、特許文献２参照。）。この指紋センサを用いる方法は、設置コストが比較的安価であり、特定認識率が高く（認識精度が高く）、安全性を確保することができる。
すなわち、携帯端末に、指紋センサを配設し、ユーザが、指紋センサに指を当てて、本人認証がなされてはじめて、この携帯端末を動作可能とするように電子的ロックを行う。
【０００４】
なお、電子的ロック機能を持たせるほかに、例えば、ヒンジ部を介して開閉自在に結合された上部筐体と下部筐体とを備えた折畳み型の携帯端末に、閉じた状態を一方の筐体に形成された係止部が他方の筐体に形成された孔の縁部に係合することによって保持するロック機構と、ロック状態を手動により解除するロック解除機構とを設けて、折り畳んだ際に内面側に配置される操作キー等を保護する技術が提案されているが（例えば、特許文献３参照。）、ロック状態の解除は、ユーザに限らず誰でも簡単に行なうことができ、安全性の確保のためには、不十分である。
【特許文献１】特開２０００−１６５３７８号公報
【特許文献２】特開２００２−０８２９１４号公報
【特許文献３】特開２００３−０６０７５８号公報
【発明の開示】
【発明が解決しようとする課題】
【０００５】
解決しようとする第１の問題点は、指紋センサを用いて本人認証を行って電子的ロックを解除する上記従来技術では、例えば、設定操作が煩雑であり、使い勝手が悪く、操作性に劣るという点である。
すなわち、電子的ロックを行う度に、何らかの設定操作等が必要となるので、セキュリティ機能の設定操作忘れや操作誤り、操作の煩雑さによる不使用のために、セキュリティ機能が生かされず、依然として、個人情報の不正流出や不正使用を防止することができず、安全性を確保することができなかった。
【０００６】
また、第２の問題点は、例えば、折畳み型の携帯端末において、表示部や操作部が露出されている状態で電子的ロックがなされてしまう場合があり、依然として、安全性を確保することが困難であるという点である。
すなわち、開閉自在の折畳み型の携帯端末等では、開状態で電子的ロックを行っても、表示画面や、操作キーが配置された操作部は、露出したままであるので、ユーザが電子的ロックがなされたことで安心してしまうと、例えば、悪意ある者による悪戯等を完全に防止することができず、依然として、個人情報の不正流出や不正使用を確実に防止することができず、安全性を確保することができないという点である。
【０００７】
この発明は、上述の事情に鑑みてなされたもので、簡単な操作で確実にセキュリティ機能を働かすことができる電子機器、電子機器におけるヒンジ機構及びロック制御方法を提供することを第１の目的としている。
また、例えば、折畳み型の携帯端末において、表示部や操作部を保護した状態で電子的ロックを行って、高い安全性を確保することができる電子機器、電子機器におけるヒンジ機構及びロック制御方法を提供することを第２の目的としている。
【課題を解決するための手段】
【０００８】
上記課題を解決するために、請求項１記載の発明は、ヒンジ機構を介して第１の筐体と第２の筐体とが開閉自在に結合されていると共に、上記第１の筐体と上記２の筐体とが折り畳まれているとき、当該折り畳み状態を機械的にロックするロック機構を備えてなる折畳み式の電子機器に係り、上記第１の筐体と上記２の筐体とが折り畳まれ、かつ、上記ロック機構によって当該折り畳み状態が機械的にロックされると、当該機械的ロックに連動して、当該電子機器の所定の電子的機能を閉塞させてロックする機能ロック手段と、上記ロック機構及び上記機能ロック手段によるロック状態を共に解除するロック解除手段とを備えてなることを特徴としている。
【０００９】
また、請求項２記載の発明は、請求項１記載の電子機器に係り、上記ロック解除手段は、使用者の所定の生体特徴を読み取るための読取手段と、上記読取手段によって読み取られた上記生体特徴に基づいて、上記使用者の本人認証を行うための本人認証手段とを有してなることを特徴としている。
【００１０】
また、請求項３記載の発明は、請求項２記載の電子機器に係り、上記読取手段は、上記使用者の上記生体特徴としての指紋を読み取るための指紋センサを有してなることを特徴としている。
【００１１】
また、請求項４記載の発明は、請求項１、２又は３記載の電子機器に係り、上記ロック機構は、上記第１の筐体に対する上記第２の筐体の回転変位を制止する制止手段を有してなることを特徴としている。
【００１２】
また、請求項５記載の発明は、請求項４記載の電子機器に係り、上記ヒンジ機構は、上記第１の筐体に連接された筒状の第１の回動部と、上記第２の筐体に連接された筒状の第２の回動部と、上記第１の回動部及び上記第２の回動部に挿通された軸体とを有してなり、上記制止手段は、上記第１の筐体に取り着けられ、上記第２の回動部の回動を制止する制止部材を有してなることを特徴としている。
【００１３】
また、請求項６記載の発明は、請求項５記載の電子機器に係り、上記第２の回動部の所定の部位には、凹部が形成され、上記制止部材は、その先端部が上記凹部に挿入され、その後端部が上記制止部材を上記凹部ヘ向けて変位させる向きに付勢するばね部材を介して上記第１の筐体に取り着けられていると共に、上記制止部材の先端部が上記凹部に挿入されたロック状態で、上記ばね部材の復元力に抗して上記凹部から上記制止部材を引き抜いて、上記ロック機構によるロック状態を解除するための挿抜手段を有することを特徴としている。
【００１４】
また、請求項７記載の発明は、請求項６記載の電子機器に係り、上記凹部は溝部であり、上記制止部材は平板状の磁性体からなるロック板であり、上記挿抜手段は、上記ロック板の先端部が上記溝部に挿入されたロック状態で、電流が流れることによって上記ばね部材の復元力に抗して上記ロック板に引力を与え上記溝部から上記ロック板を引き抜いて、上記ロック機構によるロック状態を解除する駆動コイルを有してなることを特徴としている。
【００１５】
また、請求項８記載の発明は、請求項１乃至７のいずれか１に記載の電子機器に係り、該電子機器を構成し各種のキースイッチを有するキー入力手段を備え、上記機能ロック手段は、上記閉じた状態で少なくとも一部の上記キースイッチの操作を無効とすることを特徴としている。
【００１６】
また、請求項９記載の発明は、請求項４乃至８のいずれか１に記載の電子機器に係り、上記指紋センサは、上記第１の筐体又は上記第２の筐体の外表面に配置されていることを特徴としている。
【００１７】
また、請求項１０記載の発明は、請求項８又は９記載の電子機器に係り、上記機能ロック手段は、上記キー入力手段から上記キースイッチのオン／オフ情報を受け取って、操作無効とされるキースイッチが定められたキーマスク情報に基づいて、操作された上記キースイッチが操作無効とされるマスクキーであるか否かを判定し、操作された上記キースイッチが、上記マスクキーとされている場合に、上記キースイッチの操作を無効とする判定手段を有することを特徴としている。
【００１８】
また、請求項１１記載の発明は、電子機器を構成する第１の筐体と第２の筐体とを開閉自在に結合するためのヒンジ機構に係り、上記第１の筐体に連接された筒状の第１の回動部と、上記第２の筐体に連接された筒状の第２の回動部と、上記第１の回動部及び上記第２の回動部に挿通された軸体とを備えてなり、当該電子機器に設けられたロック機構によって、上記第１の筐体と上記２の筐体とが折り畳まれているとき、当該折り畳み状態が機械的にロックされ、上記ロック機構は、上記第１の筐体に対する上記第２の筐体の回転変位を制止する制止手段を有し、上記制止手段は、上記第１の筐体に取り着けられ、上記第２の回動部の回動を制止する制止部材を有してなることを特徴としている。
【００１９】
また、請求項１２記載の発明は、請求項１１記載の電子機器におけるヒンジ機構に係り、当該電子機器に設けられたロック解除手段によって、上記ロック機構によるロック状態が解除されることを特徴としている。
【００２０】
また、請求項１３記載の発明は、請求項１１又は１２記載の電子機器におけるヒンジ機構に係り、上記第２の回動部の所定の部位には、凹部が形成され、上記制止部材は、その先端部が上記凹部に挿入され、その後端部が上記制止部材を上記凹部ヘ向けて変位させる向きに付勢するばね部材を介して上記第１の筐体に取り着けられていると共に、当該電子機器には、上記制止部材の先端部が上記凹部に挿入されたロック状態で、上記ばね部材の復元力に抗して上記凹部から上記制止部材を引き抜いて、上記ロック機構によるロック状態を解除するための挿抜手段が設けられていることを特徴としている。
【００２１】
また、請求項１４記載の発明は、請求項１３記載の電子機器におけるヒンジ機構に係り、上記凹部は溝部であり、上記制止部材は平板状の磁性体からなるロック板であり、上記挿抜手段は、上記ロック板の先端部が上記溝部に挿入されたロック状態で、電流が流れることによって上記ばね部材の復元力に抗して上記ロック板に引力を与え上記溝部から上記ロック板を引き抜いて、上記ロック機構によるロック状態を解除する駆動コイルを有してなることを特徴としている。
【００２２】
また、請求項１５記載の発明は、請求項１１乃至１４のいずれか１に記載の電子機器におけるヒンジ機構に係り、当該電子機器には、上記第１の筐体と上記２の筐体とが折り畳まれ、かつ、上記ロック機構によって当該折り畳み状態が機械的にロックされると、当該機械的ロックに連動して、当該電子機器の所定の電子的機能を閉塞させてロックする機能ロック手段が設けられ、上記ロック解除手段によって、上記ロック機構及び上記機能ロック手段によるロック状態が解除されることを特徴としている。
【００２３】
また、請求項１６記載の発明は、請求項１２乃至１５のいずれか１に記載の電子機器におけるヒンジ機構に係り、上記ロック解除手段は、使用者の所定の生体特徴を読み取るための読取手段と、上記読取手段によって読み取られた上記生体特徴に基づいて、上記使用者の本人認証を行うための本人認証手段とを有してなることを特徴としている。
【００２４】
また、請求項１７記載の発明は、請求項１６記載の電子機器におけるヒンジ機構に係り、上記読取手段は、上記使用者の上記生体特徴としての指紋を読み取るための指紋センサを有してなることを特徴としている。
【００２５】
また、請求項１８記載の発明は、ヒンジ機構を介して第１の筐体と第２の筐体とが開閉自在に結合され、上記第１の筐体と上記２の筐体とが折り畳まれているとき、当該折り畳み状態を機械的にロックする機械的ロックステップを含む折畳み式の電子機器におけるロック制御方法に係り、上記第１の筐体と上記２の筐体とが折り畳まれ、かつ、上記機械的ロックステップで当該折り畳み状態が機械的にロックされると、当該機械的ロックに連動して、当該電子機器の所定の電子的機能を閉塞させてロックする機能ロックステップと、上記機械的ロックステップ及び上記機能ロックステップでなされたロック状態を共に解除するロック解除ステップとを含むことを特徴としている。
【００２６】
また、請求項１９記載の発明は、請求項１８記載の電子機器におけるロック制御方法に係り、上記ロック解除ステップでは、読み取られた使用者の所定の生体特徴に基づいて、上記使用者の本人認証を行うための本人認証ステップとを含むことを特徴としている。
【００２７】
また、請求項２０記載の発明は、請求項１９記載の電子機器におけるロック制御方法に係り、上記読取ステップでは、上記使用者の上記生体特徴としての指紋を読み取るための指紋センサを用いることを特徴としている。
【００２８】
また、請求項２１記載の発明は、請求項１８、１９又は２０記載の電子機器におけるロック制御方法に係り、上記機械的ロックステップでは、上記第１の筐体に対する上記第２の筐体の回転変位を制止する制止手段を用いることを特徴としている。
【００２９】
また、請求項２２記載の発明は、請求項２１記載の電子機器におけるロック制御方法に係り、上記ヒンジ機構は、上記第１の筐体に連接された筒状の第１の回動部と、上記第２の筐体に連接された筒状の第２の回動部と、上記第１の回動部及び上記第２の回動部に挿通された軸体とを有してなり、上記制止手段は、上記第１の筐体に取り着けられ、上記第２の回動部の回動を制止する制止部材を有してなることを特徴としている。
【００３０】
また、請求項２３記載の発明は、請求項２２記載の電子機器におけるロック制御方法に係り、上記第２の回動部の所定の部位には、凹部が形成され、上記制止部材は、その先端部が上記凹部に挿入され、その後端部が上記制止部材を上記凹部ヘ向けて変位させる向きに付勢するばね部材を介して上記第１の筐体に取り着けられていると共に、上記機械的ロックステップで、上記制止部材の先端部を上記凹部に挿入してロック状態とし、上記ロック解除ステップで、挿抜手段を用いて、上記ばね部材の復元力に抗して上記凹部から上記制止部材を引き抜いて、上記機械的ロックステップでなされたロック状態を解除することを特徴としている。
【００３１】
また、請求項２４記載の発明は、請求項２３記載の電子機器におけるロック制御方法に係り、上記凹部は溝部であり、上記制止部材は平板状の磁性体からなるロック板であり、上記挿抜手段は、上記ロック板の先端部が上記溝部に挿入されたロック状態で、電流が流れることによって上記ばね部材の復元力に抗して上記ロック板に引力を与え上記溝部から上記ロック板を引き抜いて、上記機械的ロックステップでなされたロック状態を解除する駆動コイルを有してなることを特徴としている。
【００３２】
また、請求項２５記載の発明は、請求項１８乃至２４のいずれか１に記載の電子機器におけるロック制御方法に係り、当該電子機器には、各種のキースイッチを有するキー入力手段が設けられ、上記機構ロックステップでは、上記閉じた状態で少なくとも一部の上記キースイッチの操作を無効とすることを特徴としている。
【００３３】
また、請求項２６記載の発明は、請求項２０乃至２５のいずれか１に記載の電子機器におけるロック制御方法に係り、上記指紋センサは、上記第１の筐体又は上記第２の筐体の外表面に配置されていることを特徴としている。
【００３４】
また、請求項２７記載の発明は、請求項２５又は２６記載の電子機器におけるロック制御方法に係り、上記機構ロックステップでは、上記キー入力手段から上記キースイッチのオン／オフ情報を受け取って、操作無効とされるキースイッチが定められたキーマスク情報に基づいて、操作された上記キースイッチが操作無効とされるマスクキーであるか否かを判定し、操作された上記キースイッチが、上記マスクキーとされている場合に、上記キースイッチの操作を無効とする判定ステップを含むことを特徴としている。
【発明の効果】
【００３５】
この発明の構成によれば、第１の筐体と第２の筐体とが折り畳まれると、ロック機構及び機能ロック手段によって、自動的にロックされ、例えば、指紋センサを用いたロック解除手段によって、解除されるので、簡単な操作で確実にセキュリティ機能を働かすことができる。
また、第１の筐体と第２の筐体とが折り畳まれた状態でロックされるので、例えば、折畳み型の携帯端末において、表示部や操作部を保護した状態で、機能ロック手段によるロックを行って、高い安全性を確保することができる。
【発明を実施するための最良の形態】
【００３６】
第１の筐体と第２の筐体とが折り畳まれると、ロック機構及び機能ロック手段によって、自動的にロックされ、例えば、指紋センサを用いたロック解除手段によって、解除されるので、簡単な操作で確実にセキュリティ機能を働かすという第１の目的を実現した。
また、第１の筐体と第２の筐体とが折り畳まれた状態でロックされるので、例えば、折畳み型の携帯端末において、表示部や操作部を保護した状態で、機能ロック手段によるロックを行って、高い安全性を確保するという第２の目的を実現した。
【実施例１】
【００３７】
図１は、この発明の第１の実施例である携帯電話機の構成を示す斜視図、図２は、同携帯電話機の構成を示すブロック図、図３は、同携帯電話機の構成を示す斜視図、図４は、同携帯電話機のヒンジロック部の構成を説明するための説明図、また、図５及び図６は、同ヒンジロック部の動作を説明するための説明図である。
この例の携帯電話機１は、図１乃至図３に示すように、上部ユニット２と下部ユニット３とが折り畳み可能なようにヒンジ部４で相互に結合されて構成されている。
【００３８】
上部ユニット２は、図１乃至図３に示すように、例えばＡＢＳ樹脂等の合成樹脂成形品からなり、折畳可能な扁平な筐体５を構成する上部筐体６に、筐体５の開閉を制止するためのヒンジロック部７と、筐体５の開閉を検出するための開閉検出部８を構成するマグネット９と、例えば受話音声を出力する受話部１１と、例えば周囲の風景や人物等を撮影するための電子カメラユニット１２と、ＬＥＤを有し例えば着信時や通話時に発光する発光部１３と、例えば着信時に着信音を出力する音声出力部１４と、折畳時に内側となる側（内面側）に配設され液晶表示装置からなり例えば機能設定画面や、待受画面等が表示される表示部１５とが実装されて概略構成されている。
【００３９】
下部ユニット３は、筐体５を構成する下部筐体１７に、図１乃至図３に示すように、携帯電話機本体の構成各部を制御する制御部１８と、制御部１８が実行する処理プログラムや各種データ等を記憶するための記憶部１９と、手指が当てられ、指紋を取り込むための例えばイメージセンサを有する光学式の指紋センサ２１と、ヒンジロック部７の挿抜用の駆動コイル３８に所定の電流を供給してヒンジロック部７を駆動するためのアクチュエータ駆動部２２と、開閉検出部８を構成するホール素子等からなる磁気センサ２３と、内蔵アンテナ２４と、内蔵アンテナ２４を介して無線電波の送受信を行い、所定のプロトコルに従って通話やデータ通信を行うために用いられる無線通信部２５と、数字や文字の入力操作等を行うための多数の各種操作キー等からなる操作部２６と、送話音声を入力するマイクロフォンからなる送話部２７と、電池パックを有する電源部２８とが実装されて概略構成されている。
【００４０】
ヒンジ部４は、それぞれ、例えばＡＢＳ樹脂等の合成樹脂成形品からなり、上部筐体６の下端部に連接された筒状の上部回動部３１と、下部筐体１７の上端部に連接された筒状の下部回動部３２と、上部回動部３１及び下部回動部３２に挿通された軸体３３とを有してなっている。
ヒンジロック部７は、ヒンジ部４を構成する下部回動部３２に接合された作動軸部３４に形成された溝部３４ａにその先端部が挿入され、上部筐体６に取り着けられたばね固定板３５に、ばね部材３６を介して取り着けられたニッケル等の磁性体からなる平板状のロック板３７と、例えば、ロック板３７の先端部が溝部３４ａに挿入されたロック状態で、電流が流れることによってばね部材３６の復元力に抗してロック板３７に引力を与え溝部３４ａからロック板３７を引き抜いて、ロック状態を解除するための駆動コイル３８と、ロック板３７を挿抜方向に沿って案内する案内ローラ３９とを有し、一方の筐体の他方の筐体に対する変位（回動軸の周りの回動）を制止する。
ばね部材３６は、ロック板３７をばね固定板３５から離反させる向きに付勢するコイル状の圧縮ばねからなっている。なお、この例では、駆動コイル３８は、ばね固定板３５の内表面に固定されている。
【００４１】
ロック解除時には、アクチュエータ駆動部２２を介して駆動コイル３８へ所定の電流が供給され、ばね部材３６の復元力に抗してロック板３７に引力を与え溝部３４ａからロック板３７を引き抜いて、機構的ロックが解除される。
また、ロック時には、例えば、筐体５が閉状態とされ、溝部３４ａにロック板３７の先端面が対向配置されたときに、駆動コイル３８への電流の供給が停止され、ロック板３７がばね部材３６によって、溝部３４ａに向けて変位させられ、溝部３４ａにロック板３７の先端部が挿入されて、機構的ロックがなされる。
【００４２】
ロック解除後、筐体５が開状態とされて、溝部３４ａの位置とロック板３７の先端部の位置とがずれた状態で、駆動コイル３８への電流の供給が停止されると、ロック板３７がばね部材３６によって、溝部３４ａに向けて変位させられ、ロック板３７の先端部は、作動軸部３４の溝部３４ａが形成されていない外周面に当接し、筐体５の回動（一方の筐体の他方の筐体に対する変位）と共に、ロック板３７の先端面が作動軸部３４の外周面を摺動して、回動自在となるが、筐体５が閉状態に戻ると、溝部３４ａにロック板３７の先端部が挿入されて、自動的に機構的ロックがなされる。
この例では、開閉検出部８によって、開状態が検知されると、駆動コイル３８への電流の供給が停止される。
【００４３】
この例では、ヒンジロック部７を構成するばね固定板３５、圧縮ばね３６、ロック板３７、挿抜用の駆動コイル３８、及び案内ローラ３９は、上部筐体６側に配置されている。
開閉検出部８は、上側筐体６の先端部（受話部１１側）に配設されたマグネット９と、下側筐体１７内に受感側を操作部２６の操作面側に向けて配設された磁気センサ２３とを有してなり、上側ユニット２と下側ユニット３との間の相互的位置関係として、筐体５の開状態や閉状態が検出される。
【００４４】
電子カメラユニット１２は、上側筐体の折畳時に外側となる面に設けられ、被写体から到来した光が入射する撮影窓部と、撮影窓部の近傍に配置された例えば標準レンズからなるカメラレンズと、カメラレンズを介して結像した画像を光電変換して電気信号としての画像信号を出力するＣＣＤ撮像素子等からなる撮像デバイスと、撮像デバイスから送られてきた画像信号をＡ／Ｄ変換し、デジタル化した信号にガンマ変換、色空間変換等の画像処理を施す画像処理部とを有している。
【００４５】
表示部１５は、上側筐体の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００４６】
制御部１８は、ＣＰＵ（中央処理装置）等を有してなり、記憶部１９に記憶された各種処理プログラムを実行し、記憶部１９に確保された各種レジスタやフラグを用いて、構成各部を制御し、通信制御処理や、指紋登録処理、ロック制御処理、操作制御処理等を実行する。
ここで、指紋登録処理は、登録案内表示制御処理と、特徴情報生成処理と、特徴情報登録処理と、登録完了表示制御処理を含んでいる。また、ロック制御処理は、指紋認証処理と、機構的ロック制御処理と、電子的ロック制御処理とを含んでいる。ここで、指紋認証処理は、特徴情報生成処理と、指紋照合処理とを含んでいる。また、操作制御処理は、キースキャン処理と、操作キー特定処理とを含んでいる。
【００４７】
制御部１８は、指紋登録処理のうち、登録案内表示制御処理で、購入後使用開始前に、表示部１５にユーザ本人に指紋登録を促すと共に、必要に応じて操作案内のメッセージを表示させる。
また、制御部１８は、特徴情報生成処理で、指紋センサ２１によって取り込まれた指紋の検出情報（濃淡画像）に基づいて、例えば、二値化・細線化処理により、指紋の模様を構成する隆線を抽出し、隆線の端点及び分岐点を含む指紋の特徴点（マニューシャ）の位置を求め、これらの特徴点の情報と、特徴点相互間の線分を横切る交差隆線数を計数して得られたリレーションの情報とを含む特徴情報を生成する。
また、制御部１８は、特徴情報登録処理では、特徴情報生成処理で生成した特徴情報を記憶部１９に記憶させる。
また、制御部１８は、登録完了表示制御処理では、特徴情報登録処理後、表示部１５に指紋登録完了の旨のメッセージを表示させる。
【００４８】
また、制御部１８は、指紋認証処理のうち、特徴情報生成処理では、指紋センサ２１によって、ユーザ本人を含む操作者の指紋を取り込んで、上記指紋登録処理の特徴情報生成処理と同様の処理を行う。
また、制御部１８は、指紋照合処理では、この指紋認証処理の特徴情報生成処理でユーザ本人を含む操作者の指紋の特徴情報と、指紋登録処理で、予め登録されたユーザ本人の特徴情報との間の類似度を比較して、同一の指であるか否かを判定して、本人認証を行う。
【００４９】
また、制御部１８は、機構的ロック制御処理では、ヒンジ部４の作動軸部３４の溝部３４ａにロック板３７が挿入された機構的ロック中で、かつ、指紋認証処理で、指紋センサ２１に取り込まれた指の指紋がユーザ本人のものであると認証した場合に、アクチュエータ駆動部２２を制御して、駆動コイル３８へ所定値の電流を供給させて、ばね部材３６の復元力に抗してロック板３７を駆動コイル３８へ引き寄せさせて、ヒンジ部４の作動軸部３４の溝部３４ａから引き抜いて、筐体５の回動を自由にして機構的ロックを解除し、開閉検出部８によって、開状態が検知されるまで、駆動コイル３８への電流の供給を継続させる。
【００５０】
一方、制御部１８は、この機構的ロック制御処理では、指紋認証処理でユーザ本人との判定後、開状態検知までの期間以外は、アクチュエータ駆動部２２を制御して、駆動コイル３８への電流の供給を停止させる。この状態で、ロック板３７がばね部材３６によって、溝部３４ａに向けて変位させられると、溝部３４ａにロック板３７の先端部が挿入されて、機構的ロックがなされる。
【００５１】
また、制御部１８は、電子的ロック処理では、ヒンジ部４の作動軸部３４の溝部３４ａにロック板３７が挿入された機構的ロック中で、かつ、指紋認証処理で、指紋センサ２１に取り込まれた指の指紋がユーザ本人のものであると認証した場合に、例えば、操作部２６の操作キー押下によるキー押下情報を受付け可能なように電子的ロックを解除し、キー入力待ち状態とする。
一方、制御部１８は、この電子的ロック処理では、指紋認証処理でユーザ本人との判定後、開状態検知までの期間以外は、例えば、操作部２６の全ての操作キーをマスク設定し、すなわち、無効扱いとして、電子的ロック状態とする。
なお、この例では、電源部２８で、電池パックの容量が無くなった場合でも、充電後、指紋センサ２１を用いて本人認証を行なってロック解除しない限り、機構的ロック状態及び電子的ロック状態は維持される。
【００５２】
記憶部１９は、ＲＯＭ、ＲＡＭ等の半導体メモリ等からなり、制御部１８が実行する通信制御処理プログラムや、指紋登録処理プログラム、ロック制御処理プログラム、操作制御処理プログラム、ブラウザ、メーラ等の各種処理プログラム等が記憶されたプログラム記憶領域と、各機能の設定情報や、ユーザ本人の指紋情報、通信履歴情報、電話帳情報、文字メッセージ情報等の各種情報が記憶された情報記憶領域とを有すると共に、この記憶部１９には、制御部１８がプログラム実行時に用いる各種レジスタやフラグが確保されている。
無線通信部２５は、ＲＦ回路や、変復調回路、ベースバンド処理回路等からなり、音声やデータを変調して内蔵アンテナ２４を介して無線電波として送信すると共に、無線電波を内蔵アンテナ２４を介して受信して音声やデータに復調し、所定のプロトコルに従って通話やデータ通信を行うために用いられる。
【００５３】
操作部２６は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１５に表示された表示画面上のカーソルを上下左右方向へ移動させるためのカーソルキーと、例えば数字等を入力するためのテンキー群とを有している。
この例の電源部２８は、リチウムイオン二次電池等の充電可能な電池からなり、扁平な略直方体形状の電池パックが、下部筐体１７の裏面側に設けられた電池格納部内に着脱自在に装着され、かつ、電池パックを保護し、脱落を防止するための電池カバーが、下部筐体１７に取り着けられて概略構成されている。
【００５４】
次に、図４乃至図６を参照して、この例の携帯電話機１の動作について説明する。
まず、指紋登録処理について説明する。制御部１８は、例えば購入時にユーザが行なう指紋登録操作を受け付けて、指紋登録処理を行なう。この指紋登録処理のうち、登録案内表示制御処理で、携帯電話機１の購入後使用開始前に、表示部１５にユーザ本人に指紋登録を促すと共に、必要に応じて操作案内のメッセージを表示させる。
次に、制御部１８は、特徴情報生成処理で、指紋センサ２１によって取り込まれた指紋の検出情報（濃淡画像）に基づいて、例えば、二値化・細線化処理により、指紋の模様を構成する隆線を抽出し、隆線の端点及び分岐点を含む指紋の特徴点（マニューシャ）の位置を求め、これらの特徴点の情報と、特徴点相互間の線分を横切る交差隆線数を計数して得られたリレーションの情報とを含む特徴情報を生成する。
次に、制御部１８は、特徴情報登録処理で、特徴情報生成処理で生成した特徴情報を記憶部１９に記憶させる。次に、制御部１８は、登録完了表示制御処理で、特徴情報登録処理後、表示部１５に指紋登録完了の旨のメッセージを表示させる。
【００５５】
次に、ロック制御処理について説明する。
機構的ロック及び電子的ロックがなされず、かつ、ロック解除操作（筐体５が閉状態で指紋センサ２１に指を当てて指紋読取りを行なわせる操作）が行われない非ロック状態では、制御部１８は、操作部２６の全ての操作キーのマスク設定を解除すると共に、アクチュエータ駆動部２２を制御して、駆動コイル３８への電流の供給を停止させる。
これによって、筐体５が開状態とされている場合は、溝部３４ａの位置とロック板３７の先端部の位置とがずれた状態で、ロック板３７がばね部材３６によって、作動軸部３４に向けて変位させられ、ロック板３７の先端部は、作動軸部３４の溝部３４ａが形成されていない外周面に当接し、筐体５の回動（一方の筐体の他方の筐体に対する回転変位）と共に、ロック板３７の先端面が作動軸部３４の外周面を摺動して、回動自在となる。
【００５６】
ユーザが、携帯電話機１の筐体５をこの開いた状態から閉じると、図６に示すように、ロック板３７がばね部材３６によって、溝部３４ａに向けて変位させられ、溝部３４ａにロック板３７の先端部が挿入されて、機構的ロックがなされる。
制御部１８は、開閉検出部８によって、閉状態を検知すると、電子的ロック処理で、例えば、操作部２６の全ての操作キーをマスク設定し、すなわち、無効扱いとして、電子的ロック状態とする。
こうして、筐体５を閉じる操作で、機構的ロック及び電子的ロックが同時になされる。機構的ロック中に、筐体５が強制的に抉じ開けられた場合でも、電子的ロックの作動によって、不正使用は防止される。
【００５７】
ユーザが、筐体５を開けて操作するために、機構的ロック及び電子的ロックを解除させようとして、指紋センサ２１に手指を当てると、制御部１８は、特徴情報生成処理で、指紋センサ２１によって、ユーザ本人を含む操作者の指紋を取り込んで、指紋登録処理で実行した特徴情報生成処理と同様の処理を行う。
すなわち、制御部１８は、指紋センサ２１によって取り込まれた指紋の検出情報に基づいて、例えば、二値化・細線化処理により、指紋の模様を構成する隆線を抽出し、隆線の端点及び分岐点を含む指紋の特徴点の位置を求め、これらの特徴点の情報と、特徴点相互間の線分を横切る交差隆線数を計数して得られたリレーションの情報とを含む特徴情報を生成する。
【００５８】
次に、制御部１８は、指紋照合処理で、この指紋認証処理の特徴情報生成処理で、ユーザ本人を含む操作者の指紋の特徴情報と、指紋登録処理で、予め登録されたユーザ本人の特徴情報との間の類似度を比較して、同一の指であるか否かを判定して、本人認証を行う。
次に、制御部１８は、機構的ロック制御処理で、指紋認証処理で、指紋センサ２１に取り込まれた指の指紋がユーザ本人のものであると認証した場合に、図４及び図５に示すように、アクチュエータ駆動部２２を制御して、駆動コイル３８へ所定値の電流を供給させて、ばね部材３６の復元力に抗してロック板３７を駆動コイル３８へ引き寄せさせて、ヒンジ部４の作動軸部３４の溝部３４ａから引き抜いて、筐体５の回動を自由にして機構的ロックを解除し、開閉検出部８によって、開状態が検知されるまで、駆動コイル３８への電流の供給を継続させる。
【００５９】
同時に、制御部１８は、電子的ロック処理で、指紋認証処理で、指紋センサ２１に取り込まれた指の指紋がユーザ本人のものであると認証した場合に、例えば、操作部２６の操作キー押下によるキー押下情報を受付け可能なように電子的ロックを解除し、キー入力待ち状態とする。
制御部１８は、この指紋認証処理で、指紋センサ２１に取り込まれた指の指紋がユーザ本人のものであると認証しなかった場合には、駆動コイル３８への電流の供給を停止のままとし、かつ、操作部２６の全ての操作キーをマスク設定し、機構的ロック及び電子的ロックを継続させる。
【００６０】
制御部１８は、機構的ロック制御処理で、指紋認証処理でユーザ本人との判定後、開状態検知までの期間以外は、アクチュエータ駆動部２２を制御して、駆動コイル３８への電流の供給を停止させる。この状態で、ロック板３７がばね部材３６によって、溝部３４ａに向けて変位させられると、溝部３４ａにロック板３７の先端部が挿入されて、機構的ロックがなされる。
また、制御部１８は、電子的ロック処理で、指紋認証処理でユーザ本人との判定後、開状態検知までの期間以外は、例えば、操作部２６の全ての操作キーをマスク設定し、すなわち、無効扱いとして、電子ロック状態とする。
【００６１】
この例の構成によれば、筐体を閉じると、電子的及び機構的に同時に自動的にロックされ、筐体の外側に設けられた指紋センサによって、解除されるので、簡単な操作で確実にセキュリティ機能を働かすことができ、個人情報の不正流出や不正使用を防止し、安全性を確保することができる。
すなわち、単に筐体を閉じるだけの簡単な操作で、電子的及び機構的に同時に自動的にロックされ、セキュリティ機能の設定操作忘れや操作誤り等のヒューマンエラーを防止し、操作性が向上する（使い勝手が良くなる）ことによって、操作の煩雑さによる不使用を防止することができる。
また、指紋センサは、筐体の外表面に配置され、閉状態で、指紋センサに手指を当て、本人認証がなされない限り、電子的ロックも機構的ロックも解除されないので、例えば、操作部等に触れることができず、表示部の画面を閲覧することもできず、確実に情報の不正流出や不正使用を防止することができる。
また、本人認証の方法として、指紋を用いるので、比較的低コストで高精度な認証が可能となる。
また、たとえ機構的ロック中に、筐体５が強制的に抉じ開けられた場合でも、電子的ロックの作動によって、不正使用は防止される。
【００６２】
また、筐体が閉じられたときに電子的及び機構的にロックされるので、例えば、表示部や操作部が露出されている状態で電子的ロックがなされてしまうことがなく、一段と安全性を確保することができる。
また、ヒンジロック部によって、ヒンジ部の回転を制止してロックするので、筐体の外面や内面に、係止用及び被係止用の突起部を形成する必要がないため、美感を損ねることなく、かつ、設計上の自由度も向上させることができる。
例えば、それぞれの筐体に係止部と、被係止部とを設けて閉じた状態で機構的にロックする従来の方法に比べ、外形の変更が少なくて済むため、開発に要するコストを低減することができる。
また、筐体の外面に突起部が形成されていないので、機器の小型化に寄与することができる。
【実施例２】
【００６３】
この例が上述した第１の実施例と大きく異なるところは、ロック解除操作後、筐体が開状態とされずに、所定時間開状態のままである場合に、自動的に駆動コイルへの電流の供給を停止するように構成した点である。
これ以外の構成は、上述した第１の実施例の構成と略同一であるので、その説明を簡略にする。
【００６４】
この例の携帯電話機の制御部は、ロック解除操作後、筐体５が開状態とされずに、所定時間開状態のままである場合に、自動的に駆動コイル３８への電流の供給を停止させる。
【００６５】
この例の構成によれば、上述した第１の実施例と略同様の効果を得ることができる。
加えて、電力の無用な消費を防止することができる。
【００６６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、例えば、指紋登録処理や、ロック制御処理を、制御部が、対応する制御プログラムを実行することによって行う場合について述べたが、指紋登録処理や、ロック制御処理の一部又は全部を専用のハードウェアを用いて行い、一部を対応するプログラムを実行して処理するようにしても良い。例えば、指紋センサとマイクロプロセッサとを搭載した独立した指紋認証ユニットを配置しても良いし、指紋認証処理やロック制御処理を独立したユニットで実行するようにしても良い。
【００６７】
また、指紋センサとしては、光学式センサのほか、指の凹凸と間の静電容量の大きさを検知する容量式センサ（半導体センサ）を用いても、指の押圧によって指の凹凸を検知する圧力式センサを用いても良い。
また、指紋センサの配設箇所は、閉じた状態の筐体の外表面であれば、下部筐体の周側面の下部に限らず、例えば、図７に示すように、携帯電話機１Ａの下部筐体１７Ａの周側面の側部に、指紋センサ２１Ａを配置しても良いし、図８に示すように、携帯電話機１Ｂの上部筐体６Ｂの外表面に指紋センサ２１Ａを配置しても良い。
【００６８】
また、指紋センサは、電子ロック解除のために用いるほか、例えば、ログイン時のパスワードやログインＩＤ等の代わりの指紋情報の入力等他の目的に用いるようにしても良い。
また、指紋センサは、単数に限らず、複数設けるようにしても良い。例えば、上部筐体及び下部筐体の先端部に対をなすように指紋センサを配置して、親指と人差指とで挟んだ状態で、両指の指紋を読み取って、本人認証を行うように構成しても良い。
【００６９】
また、バイオメトリックス情報として、指紋に限らず、声紋や掌紋、甲の静脈等を用いるようにしても良い。
また、電子カメラによって、ユーザが顔貌情報を入力してこの情報に基づいて判定しても良いし、これと指紋照合とを組み合せて本人認証を行なっても良い。この場合、指紋センサへの指の接触をシャッタ操作と見なすように制御しても良い。これによって、本人認証の精度をさらに向上させることができると共に、例えば、不用意に、特に本人が気付かないうちに、指を指紋センサに当てて、誤ってロック解除をしてしまうことを防止することができる。
【００７０】
また、単に開閉のみ可能な折畳式の携帯電話機について述べたが、２軸ヒンジ機構で、上部筐体と下部筐体とが、互いに開閉自在で、かつ、開閉を行うための回動軸に直交する回動軸の周りにも一方の筐体が他方の筐体に対して回動自在に相互に結合された携帯電話機にも適用できる。この直交する回動軸部は上部筐体の主面に対して垂直であっても、上部筐体の主面に対して平行であっても良い。
この場合、閉状態で、かつ、操作部が隠された位置関係で機構的ロックを行なうようにしても良いし、表示部が操作部と対面した位置関係で機構的ロックを行なうようにしても良い。
【００７１】
また、ロック板と、溝部や切欠きとに代えて、例えば、ピン状部材や棒状部材と、挿入孔とによって、回転をロックするようにしても良い。また、上部回動部（下部回動部）を下部筐体（上部筐体）に配置したモータによって噛合させて回転させ、筐体を電動で開閉させ、筐体が閉状態でモータの停止によって制止させて、機構的ロックを行うようにしても良い。
【００７２】
また、下部筐体にヒンジロック部のロック板や駆動コイル等を配置し、上部筐体に連接された回動部に、溝部が形成された作動軸部を接合するようにしても良い。また、アクチュエータ駆動部は、ロック板等を配置した上部筐体（下部筐体）に配置しても良いし、他方の下部筐体（上部筐体）に配置しても良い。
また、ロック板は、例えば、上部筐体の下端部に矩形の挿通孔を設けて、この挿通孔を介して変位させて、溝部に対して挿抜するようにしても良いし、ロック板を上部筐体の外部に配置するようにしても良い。
【００７３】
この場合、例えば、上部筐体の下端部に窪み部を形成して、ロック板やばね部材を格納する格納部として用い、この格納部の奥部にばね部材の一端部を固定し、この奥部に対応する上部筐体の内部側に駆動コイルを配置し、格納部の中央部の壁面に一対の案内ロールを取り着け、ばね固定板を廃するようにしても良い。
また、ロック板の先端は、作動軸部の外周面との摩擦力を低減するために、滑面加工処理を施しておいても良い。また、例えば、テフロン（登録商標）層等を形成しておいても良い。
【００７４】
また、例えば、作動軸部に溝部を複数形成しておいて、開状態で所定の角度でロック可能なように構成しても良い。
また、ロック板は、ニッケルに限らず、フェライト等を用いても良いし、永久磁石から構成しても良い。永久磁石としては、例えば、フェライト磁石や、サマリウム・コバルト磁石やネオジム・鉄・ボロン磁石等であっても良い。
また、永久磁石として、プラスチックと永久磁石粉とから成形したボンド磁石を用いても良いし、永久磁石としての例えばフェライト磁石粉とゴム（例えばウレタンゴムやシリコンゴム）とからなり、磁場を発生すると共に弾性を有するボンド磁石を用いても良い。
また、例えば、樹脂製の板状部材にニッケル等を蒸着して一体化したものを用いるようにしても良い。
【００７５】
また、ばね部材として、引っ張りばねを用いてロック板を取り付け、駆動コイルに電流を流したときに、斥力を働かせて、ロック板を溝部に挿入してロックするように構成しても良い。
また、指紋認証処理でユーザ本人との判定後に、開状態を検知した後も、駆動コイル３８へ所定値の電流を供給させるようにしても良い。また、筐体が開状態であっても電子的ロックを行なうようにしても良い。
また、案内ローラは、複数又は複数対設けるようにしても良い。また、開閉検知部において、磁気センサに代えて、リードスイッチや機構的スイッチを用いるようにしても良い。
【００７６】
また、電子的ロックの対象として、操作部を含む入力手段のほか、例えば、表示画面を視認不可とするようにしても良いし、音声出力を不可とするようにしても良い。
また、電子的ロックがオンとされたときに、全ての操作キーを無効扱いとする場合について述べたが、一部の操作キーをマスク設定するようにしても良いし、状況により変更するようにしても良いし、ユーザ本人を含む複数人で用いる場合には、操作する者により、変更するようにしても良い。
【００７７】
この場合には、制御部は、例えば、押下された操作キーを検出し、押下された操作キーが、予めマスク設定された（無効扱いとされた）操作キーであった場合に、操作を無効としても良い。また、操作部の操作キーのうちいずれか１つの操作キーの押下が検出された場合に、スキャニング処理を行って、押下された操作キーを特定するために設けられるキースキャン回路と、スキャニング処理結果に基づいて、押下された操作キーを特定するとともに、この押下された操作キーが、予めマスク設定された操作キーであるか否か判定を行う判定回路とを別に設けても良い。
【産業上の利用可能性】
【００７８】
携帯型の電子機器としては、折畳み式の携帯電話機のほか、簡易型携帯電話（ＰＨＳ）端末や、携帯情報端末（ＰＤＡ）、携帯型のコンピュータ、コードレス電話機、トランシーバ、ゲーム機、電卓、電子辞書等に対して適用できる。また、携帯型のほか、ヒンジ機構を有する電子機器等一般の電子機器に対して適用できる。
【図面の簡単な説明】
【００７９】
【図１】この発明の第１の実施例である携帯電話機の構成を示す斜視図である。
【図２】同携帯電話機の構成を示すブロック図である。
【図３】同携帯電話機の構成を示す斜視図である。
【図４】同携帯電話機のヒンジロック部の構成を説明するための説明図である。
【図５】同ヒンジロック部の動作を説明するための説明図である。
【図６】同ヒンジロック部の動作を説明するための説明図である。
【図７】この発明の第１の実施例の変形例である携帯電話機の構成を示す斜視図である。
【図８】この発明の第１の実施例の別の変形例である携帯電話機の構成を示す斜視図である。
【符号の説明】
【００８０】
１，１Ａ，１Ｂ      携帯電話機（電子機器）
２      上部ユニット
３      下部ユニット
４      ヒンジ部（ヒンジ機構）
５      筐体
６      上部筐体（第１の筐体）
７        ヒンジロック部（ロック機構）
１７      下部筐体（第２の筐体）
１８      制御部（機能ロック手段、ロック解除手段、本人認証手段）
２１      指紋センサ（読取手段）
２６      操作部（キー入力手段）
３１      上部回動部（第１の回動部）
３２      下部回動部（第２の回動部）
３３      軸体
３４ａ      溝部（凹部）
３７      ロック板（制止手段、制止部材）
３８      駆動コイル（挿抜手段）
【図１】
2007156929.tif 000003
【図２】
2007156929.tif 000004
【図３】
2007156929.tif 000005
【図４】
2007156929.tif 000006
【図５】
2007156929.tif 000007
【図６】
2007156929.tif 000008
【図７】
2007156929.tif 000009
【図８】
2007156929.tif 000010